(57)【要約】【課題】            篭から商品をプラスチック製のバッグへ詰める作業が煩わしく、時間がかかってしまい、レジカウンターで店員がこれをサービスとして実行すると、混雑を増長し、大きな支障をきたしてしまうという点であり、顧客が自ら行なうにしてもバッグの開口状態を維持しつつ行なうことは難しく、非常に面倒なものであったという点である。【解決手段】        バッグホルダーは平板状とした基板の後端両隅に相対向し、同形とした一対の支柱を立設固定し、その各支柱の上端を前方に向けて略直角に屈曲させて支承桿を形成し、その支承桿の前端を弧状に後方へ向け、かつ、前記支承桿と非平行に屈曲させ、その後端を一部前記した支柱と沿わせて屈曲し、その下端を前方に向けて屈曲し、その先端を前記基板の側縁に固定するとともに、前記支承桿の外側面に上端を外方に向け拡開させて係止体を一体的に備えていることとする。【選択図】          図１
2007143914.tif 000002
【特許請求の範囲】
【請求項１】
平板状とした基板の後端両隅に相対向し、同形とした一対の支柱を立設固定し、その各支柱の上端を前方に向けて略直角に屈曲させて支承桿を形成し、その支承桿の前端を弧状に後方へ向け、かつ、前記支承桿と非平行に屈曲させ、その後端を一部前記した支柱と沿わせて屈曲し、その下端を前方に向けて屈曲し、その先端を前記基板の側縁に固定するとともに、前記支承桿の外側面に上端を外方に向け拡開させて係止体を一体的に備えていることを特徴とするバッグホルダー。
【請求項２】
前記した基板の底面には防滑用のノンスリップマットを備え、表面には商品の落下衝撃を緩和するクッションが備えられていることを特徴とする請求項１に記載のバッグホルダー。
【請求項３】
前記した一対の支柱の上方寄り間に一本以上の補強桿を架設してあることを特徴とする請求項１または請求項２に記載のバッグホルダー。
【請求項４】
前記した補強桿の前面にフック状の掛止体を備えていることを特徴とする請求項３に記載のバッグホルダー。
【発明の詳細な説明】
【技術分野】
【０００１】
本発明はバッグホルダーに関し、特にスーパーマーケット、コンビニエンスストア、量販店等にあって、顧客が任意に購入した商品を移行させるためのプラスチック製のバッグを開口状態として保持するために使用され、レジカウンターあるいはアウトカウンターに設置されるバッグホルダーに関する。
【背景技術】
【０００２】
一般的に、前記したスーパーマーケットやコンビニエンスストア、量販店等では店舗に備えられている篭を利用して、顧客は任意に商品の陳列棚の間を廻り、前記した篭内に購入する商品を入れ、レジカウンターへ運び、そこで会計の精算を行なうシステムとなっている。
【０００３】
この精算の作業は、レジカウンターに装備されているスキャナーによって商品に設けられているバーコードを一個づつスキャンし、そのスキャナーと連動する料金表示器の表示によって合計金額が示され、顧客はその料金を支払う。また、商品は顧客が商品を入れてきた篭から、別途の空状態の篭へ移され、顧客はその移行された商品が入った篭をアウトカウンターへ運び、レジで渡されたプラスチック製のバッグへ再び入れ直し、そのバッグを持って店外へ出ることとなる。
【０００４】
しかしながら、上記した商品の購入、精算、持ち帰りの一連のシステムは商品の移行作業が複数回に亘り、繁雑となり、顧客が商品の袋詰めを行なうためのアウトカウンターの存在が不可欠となってその分店舗内のスペースを占めてしまい、また、このアウトカウンターが非常に混雑してしまうこととなる。
【０００５】
また、商品の袋詰め作業をレジカウンターで店員が行なうこととなると、この作業は時間を要し、レジ自体が通常でも列を作って混んでいるのが、更に渋滞し、顧客に多大な迷惑をかけてしまうことともなる。
【特許文献１】出願人が先行する特許文献を調査したところ、格別に関連すると思われる特許文献を発見することはできなかった。
【発明の開示】
【発明が解決しようとする課題】
【０００６】
本発明が解決しようとする問題点は、篭から商品をプラスチック製のバッグへ詰める作業が煩わしく、時間がかかってしまい、レジカウンターで店員がこれをサービスとして実行すると、混雑を増長し、大きな支障をきたしてしまうという点であり、顧客が自ら行なうにしてもバッグの開口状態を維持しつつ行なうことは難しく、非常に面倒なものであったという点である。
【課題を解決するための手段】
【０００７】
本発明は上記した問題点を解決するためになされたもので、本発明に係るバッグホルダーは平板状とした基板の後端両隅に相対向し、同形とした一対の支柱を立設固定し、その各支柱の上端を前方に向けて略直角に屈曲させて支承桿を形成し、その支承桿の前端を弧状に後方へ向け、かつ、前記支承桿と非平行に屈曲させ、その後端を一部前記した支柱と沿わせて屈曲し、その下端を前方に向けて屈曲し、その先端を前記基板の側縁に固定するとともに、前記支承桿の外側面に上端を外方に向け拡開させて係止体を一体的に備えていることを特徴とし、前記した基板の底面には防滑用のノンスリップマットを備え、表面には商品の落下衝撃を緩和するクッションが備えられていることを特徴としている。
【０００８】
また、本発明に係るバッグホルダーは前記した一対の支柱の上方寄り間に一本以上の補強桿を架設してあることを特徴とし、前記した補強桿の前面にフック状の掛止体を備えていることを特徴としている。
【発明の効果】
【０００９】
本発明は上記したように構成したことにより、複数吊持されたプラスチック製のバッグを一つづつ開口を拡開させた状態で保持することができ、商品の収納作業が行ない易くなり、レジカウンターに設置すると、従前の空状態の篭へ商品を移す作業に替えてバッグへ移し入れる作業となり、店舗側にとって支障はなくなり、加えて、アウトカウンターを排除することも可能となり、その分店舗内スペースを有効利用することができることともなる。
【発明を実施するための最良の形態】
【００１０】
図面として示す実施例のように構成することで実現した。
【実施例１】
【００１１】
次に、本発明の好ましい実施の一例を図面を参照して説明する。図１は本発明を実施したバッグホルダーを示す側面図、図２は同じく正面図である。
【００１２】
これらの図にあって１は矩形状をした平板状の基板を示しており、この基板１は後端縁を立ち上げ立壁１ａを一体的に形成したものとなっている。この基板１の底面にはカウンター上に載置した際に滑り止めとなるノンスリップマット２が貼設され、表面には商品が落下した際に緩衝を行なうクッション３が貼設されている。
【００１３】
この基板１の後端両サイド奥隅には相対向した同形の支柱４、４が平行状態に立設固定されている。本実施例にあってはこの支柱４、４は金属やプラスチックにより成形された丸棒材が使用されている。
【００１４】
また、前記した各支柱４、４は上端を前方に向けて略直角に屈曲させ支承桿５を形成している。この支承桿５はその前端を弧状部５ａを形成して後方へ屈曲されている。この弧状部５ａを形成することで、作業時に手先、指先等が衝突してもその衝撃を緩め、大きな怪我が生じないように図っている。
【００１５】
さらに、前記支承桿５は弧状部５ａを介して、後方へ第二支承桿５ｂを一体に形成しており、この第二支承桿５ｂは支承桿５とは非平行なものとされている。この第二支承桿５ｂはさらに屈曲されて支柱４、４の前面と沿わされ、第二支柱４ａ、４ａを形成している。
【００１６】
この第二支柱４ａ、４ａの先端はさらに前方へ向けて屈曲されて全体を支持位置決めして、グラ付きを防止する支持桿６とされ、基板１の側縁にその先端を固定されている。
【００１７】
また、前記した支承桿５及び第二支承桿５ｂの外面には各々丸棒材により成形された係止体７、７が溶着、ネジ止め等により一体的に備えられている。この係止体７、７は略下向きコ字状に形成され、その上縁をやや膨出させた形態となっているもので、その上縁は脚部を屈折させることで各々外方に向けて拡開させた構成となっている。
【００１８】
さらに、前記した一対の支柱４、４の上方寄りの間には二本の補強桿８、８ａが平行状態で一体的に架設されており、各支柱４、４のグラ付きを防止している。
【００１９】
前記した補強桿８、８ａの前面略中央には略上向きコ字状としたフック状の掛止体９がその補強桿８、８ａ間の幅に亘って一体的に備えられている。この掛止体９にはプラスチック製バッグの手提げ部に形成される切り込み孔（スリット）等が掛けられ、使用予備のバッグとして複数が重合吊持されることとなる。
【００２０】
本発明に係るバッグホルダーは上記のように構成されているもので、その使用方法としては、掛止体９に重合吊持されているプラスチック製のバッグを一つ取り外して、その手提げ部に形成されている切り込み孔（スリット）を係止体７、７へ掛けて開口を保持させるが、この時、バッグの開口縁近くに形成されている切り込み孔（スリット）を掛止体９の先端に掛ければ、その開口状態はさらに大きく保持され、商品の収納作業が著しく行ない易くなる。商品収納後には前記した係合を外し、手提げ部を結び付ければ、そのままバッグを提げて商品を持ち帰ることが可能となるもので、この作業をレジカウンターにおいて店員がサービスとして行なっても大きな支障をきたしてしまうことはないこととなる。
【産業上の利用可能性】
【００２１】
本発明に係るバッグホルダーは上述のように構成されている。実施例では支柱４、４、第二支柱、支持桿６等を使用しているが、これらはボードを代替して使用することも可能であり、使用場所も前述した業種のほか、プラスチック製のバッグを用いる書店、ＣＤやビデオショップ、薬店等でも使用することが可能であり、テイクアウトする弁当店をはじめ、個人商店でも使用できその応用範囲は非常に広いものとなっている。
【図面の簡単な説明】
【００２２】
【図１】本発明を実施したバッグホルダーを示す側面図である。
【図２】正面図である。
【符号の説明】
【００２３】
１    基板
１ａ  立壁
２    ノンスリップマット
３    クッション
４    支柱
４ａ  第二支柱
５    支承桿
５ａ  弧状部
５ｂ  第二支承桿
６    支持桿
７    係止体
８    補強桿
８ａ  補強桿
９    掛止体
【図１】
2007143914.tif 000003
【図２】
2007143914.tif 000004